(57)【要約】【課題】地震発生時に床部材を円滑に回動させることができると共に、床部材が回動するときに回動支点となる側の床部材の端部に荷重が集中することを排除して、破損を防止することができるエキスパンションジョイントを提供する。【解決手段】台座２６の長孔３５は、床部材８の自由端Ｆが上下方向に回動するときに、転動面３３が凸状曲面３２に沿って上下方向に傾動することができるように、連結部材３８を上下方向に傾動可能に案内する。床部材８の後壁８ｃの長孔３６は、台座２６の長孔３５のかかる機能に加えて、更に、床部材８の第二の段差部側の端部８ｂが支持面２３を摺動することができるように、後壁８ｃを支持面２３に向かって往復動可能に案内する。長孔３５及び３６のこの機能によって、床部材８は台座２６の凸状曲面３２に沿って滑らかに上方へ回動することが可能になる。【選択図】図１０
2015145598.tif 000002
【特許請求の範囲】
【請求項１】
建築物又は構築物の基礎部と、前記基礎部に免振装置を介して支持された躯体との間に、前記基礎部と前記躯体の間のクリアランスを跨いで、床部材を架設し、前記床部材の前記基礎部側の端部が上下方向に回動可能な自由端を構成するように、前記床部材を前記躯体に連結してなる、エキスパンションジョイントにおいて、前記基礎部の前記クリアランスに沿う縁部に、前記基礎部の上面と前記基礎部の前記クリアランスに面する側面との間に延在し、かつ、前記床部材を支持する平坦面と、前記床部材の前記自由端を上下方向に案内する傾斜面とを有する、第一の段差部を形成し、前記躯体の前記クリアランスに沿う縁部に、前記躯体の上面と前記躯体の前記クリアランスに面する側面との間に延在し、かつ、前記床部材を支持する支持面と、前記支持面に対して角度を成して延在する壁面とを有する、第二の段差部を形成し、前記第一の段差部と前記第二の段差部に前記床部材を架設し、前記第二の段差部の前記支持面の上方に、前記床部材の前記第二の段差部側の端部に向かって突出し、かつ、上下方向に弧状に延在する、凸状曲面を形成し、前記床部材の前記第二の段差部側の端部に、前記凸状曲面に傾動可能に係合する転動面と、前記支持面に係合する底面を形成し、前記床部材の前記自由端が上下方向に回動すると、前記床部材の前記転動面が前記凸状曲面に沿って傾動し、前記床部材の前記第二の段差部側の端部が前記支持面を摺動するように、前記床部材を前記躯体に連結したことを特徴とする、エキスパンションジョイント。
【請求項２】
請求項１に記載のエキスパンションジョイントにおいて、前記第二の段差部の前記壁面に台座を取り付け、前記台座に前記凸状曲面を形成し、前記床部材の後壁の表面に前記転動面を形成し、前記台座と前記後壁にそれぞれ貫通孔を形成し、前記床部材を前記躯体に連結するための連結部材を前記台座の前記貫通孔と前記後壁の前記貫通孔に挿通し、前記連結部材によって前記床部材を前記躯体に連結し、前記台座の前記貫通孔と前記後壁の前記貫通孔を上下方向に伸びる長孔によって構成し、前記台座の前記長孔は、前記床部材の前記自由端が上下方向に回動するときに、前記転動面が前記凸状曲面に沿って上下方向に傾動することができるように、前記連結部材を上下方向に傾動可能に案内し、また、前記後壁の前記長孔は、前記床部材の前記自由端が上下方向に回動するときに、前記転動面が前記凸状曲面に沿って上下方向に傾動することができるように、前記連結部材を上下方向に傾動可能に案内すると共に、前記床部材の前記第二の段差部側の端部が前記支持面を摺動することができるように、前記後壁を前記支持面に向かって往復動可能に案内することを特徴とする、前記エキスパンションジョイント。
【請求項３】
請求項２に記載のエキスパンションジョイントにおいて、前記台座は、前記躯体の上面に沿って延在する上縁と、前記第二の段差部の前記支持面に沿って延在する下縁と、前記床部材の前記後壁に対向する露出面と、前記第二の段差部の前記壁面に対向する裏面と、前記上縁と前記下縁から間隔をおいて前記露出面に突出し、かつ、前記台座の長手方向に伸びる、一条の畝部を有し、前記畝部の表面に前記凸状曲面を形成し、前記畝部の裏面と前記壁面の間に空隙部を形成し、前記台座の前記貫通孔を前記凸状曲面と前記空隙部に開口させ、前記貫通孔に挿通された前記連結部材の前記台座側の端部を前記空隙部に配置して前記畝部の裏面に係止させたことを特徴とする、前記エキスパンションジョイント。
【請求項４】
請求項３に記載のエキスパンションジョイントにおいて、前記床部材は、前記床部材の前記後壁の裏面に沿って空間部を有し、前記後壁の前記貫通孔を前記転動面と前記空間部に開口させ、前記後壁の貫通孔に挿通された前記連結部材の前記床部材側の端部を前記空間部に配置して前記後壁の裏面に係止させたことを特徴とする、前記エキスパンションジョイント。
【請求項５】
請求項３又は４に記載のエキスパンションジョイントにおいて、前記台座の前記貫通孔を、前記台座の長手方向に間隔をおいて、前記畝部に複数形成し、前記台座の前記複数の貫通孔にそれぞれ対応するように、前記後壁の前記貫通孔を複数形成し、前記台座の前記貫通孔と前記後壁の前記貫通孔に挿通された複数の前記連結部材によって、前記床部材を前記躯体に連結したことを特徴とする、前記エキスパンションジョイント。
【請求項６】
請求項３に記載のエキスパンションジョイントにおいて、前記台座の前記上縁付近の前記露出面と前記床部材の前記後壁の間にコーキング材及び／又はバッカー材を充填したことを特徴とする、前記エキスパンションジョイント。
【請求項７】
請求項１又は２に記載のエキスパンションジョイントにおいて、前記エキスパンションジョイントは、更に、前記免震装置の非作動時に前記床部材の前記自由端と前記基礎部の前記上面との間隙を覆う端部板と、前記端部板の前記基礎部側の縁部が上下方向に回動するように、前記端部板の前記床部材側の縁部を前記床部材の前記自由端に連結する、ヒンジと、前記免震装置の作動時に前記端部板が下方に回動する角度を規制するストッパとを有することを特徴とする、前記エキスパンションジョイント。
【発明の詳細な説明】
【技術分野】
【０００１】
本発明は、建築物又は構築物の基礎部と、この基礎部に免振装置を介して支持された躯体との間に、クリアランスを跨いで、床部材を架設し、この床部材の先端部が上下方向に回動可能な自由端を構成するように、この床部材の基端部を躯体に連結してなる、エキスパンションジョイントに関するものである。
【背景技術】
【０００２】
大規模地震によって建築物や構築物が損壊することを防止するため、建築物や構築物の構造として、耐震構造、制振構造、免震構造が提案されている。このうち、免震構造は、建築物や構築物の基礎とその上部構造との間に免震装置を介在させる、所謂、基礎免震と、建築物や構築物の上部構造と下部構造の間に免震装置を介在させる、所謂、中間免震に分類することができる。いずれの免震構造においても、免震装置は、鉛直方向（Ｚ軸方向）に構造物を支持しながら、水平方向（Ｘ軸方向及びＹ軸方向）に変位又は変形可能なアイソレータと、地震エネルギーを吸収するダンパーを備える。
【０００３】
基礎免震を施された建築物や構築物には、アイソレータによって支持された上部構造が基礎に関して水平方向に変位することを可能にするため、上部構造と基礎の間にクリアランスが設けられる。そして、このクリアランスは、エキスパンションジョイントのカバー体、化粧カバープレート、プレキャストコンクリート板等の床部材で覆われることにより、人や車両の往来を可能にする通路として使用することができる。例えば、特開平１０−２０５００９号公報の図１乃至４には、建築物Ａと地盤Ｂの間に差し渡されたカバー体Ｃの下面に、断面半円状に形成された支持体１７を線接触させ、カバー体Ｃを支持縁１８によって揺動可能に支持した目地カバー装置が開示されている。
【０００４】
また、特開２００５−４８４９１号公報の図１及び２には、建物Ａの床面１の化粧縁座３と、建物Ｂの床面２の化粧縁材４に、クリアランスＣを挟んで、化粧カバープレート５を装架し、化粧カバープレート５の他端を、化粧縁材４に固着されたスプリング丁番１１を介して、回動自在に保持した、床用エキスパンションジョイント６が開示されている。
【０００５】
また、特開２０１３−１９２６７号公報に開示された免震エキスパンションジョイント床は、図９、１１及び１２を参照すると、免振構造物１の躯体５と非免振構造物２の躯体６の間に設けられたクリアランスＣを塞ぐために、プレキャストコンクリート板１５によって構成された、床用エキスパンションジョイント床部材９を有する。この床用エキスパンションジョイント床部材９の躯体５の側の端部は、図１１に示すように、躯体５のエキスパンションジョイント支持部７に載置され、スプリング付きボルト４０によって免振構造物１側に引き付けられる。これにより、プレキャストコンクリート板１５の外周部１４に位置する金属製の固定枠材１１が躯体５の仕上げ用床材３４に当接する。地震発生時に、エキスパンションジョイント床部材９は、図１２に示すように、エキスパンションジョイント支持部７と仕上げ用床材３４とに沿って摺動し、エキスパンションジョイント床部材９を上下にウイングさせる。
【先行技術文献】
【特許文献】
【０００６】
【特許文献１】特開平１０−２０５００９号公報
【特許文献２】特開２００５−４８４９１号公報
【特許文献３】特開２０１３−１９２６７号公報
【発明の概要】
【発明が解決しようとする課題】
【０００７】
人や車両が通行することができる通路を形成するためのエキスパンションジョイントには、耐荷重強度の高い床部材が使用される。この床部材には車両等の通行時に大きな荷重がかかる。また、床部材の耐荷重強度を向上させると床部材自体の重量も増大する。
したがって、前述の目地カバー装置の断面半円状に形成された支持体に床部材を載置すると、回動支点に荷重が集中するため、回動支点が破損し易い。回動支点が破損すると床部材の回動運動が妨げられるから、地震等の発生時に免震機能が発揮できない場合がある。
同様に、スプリング丁番によって化粧カバープレートを回動自在に保持する前述の床用エキスパンションジョイントでは、スプリング丁番の回転軸に荷重が集中するから、スプリング丁番が破損する恐れがある。
これに対し、前述の免震エキスパンションジョイント床は、床用エキスパンションジョイント床部材の端部がエキスパンションジョイント支持部によって面支持されているから、エキスパンションジョイント支持部の支持面の面積を増大させることにより、その支持強度を向上させることができると考えられる。しかし、地震発生時にエキスパンションジョイント床部材を上下にウイングさせるには、エキスパンションジョイント床部材を、スプリング付きボルトのスプリングの引張力に抗して、固定アングル枠から離隔させなければならない。また、エキスパンションジョイント床部材はスプリング付きボルトのスプリングによって仕上げ用床材に押し付けられているから、エキスパンションジョイント床部材が仕上げ用床材の表面を摺動するときには大きな摩擦力が生じる。したがって、スプリング付きボルトのスプリングの引張力と、エキスパンションジョイント床部材が仕上げ用床材の表面を摺動するときに発生する摩擦力とによって、エキスパンションジョイント床部材の滑らかなウイング動作が阻害される恐れがある。
【０００８】
本発明の目的は、地震発生時に床部材を円滑に回動させることができると共に、床部材が回動するときに回動支点となる側の床部材の端部に荷重が集中することを排除して、破損を防止し、床部材の回動時の床部材の端部と躯体の間の目地巾の変動を減少させることが可能であり、更に、製造及び施工が容易なエキスパンションジョイントを提供することにある。
【課題を解決するための手段】
【０００９】
本発明のエキスパンションジョイントは、建築物又は構築物の基礎部と、前記基礎部に免振装置を介して支持された躯体との間に、前記基礎部と前記躯体の間のクリアランスを跨いで、床部材を架設し、前記床部材の前記基礎部側の端部が上下方向に回動可能な自由端を構成するように、前記床部材を前記躯体に連結してなる、エキスパンションジョイントにおいて、前記基礎部の前記クリアランスに沿う縁部に、前記基礎部の上面と前記基礎部の前記クリアランスに面する側面との間に延在し、かつ、前記床部材を支持する平坦面と、前記床部材の前記自由端を上下方向に案内する傾斜面とを有する、第一の段差部を形成し、前記躯体の前記クリアランスに沿う縁部に、前記躯体の上面と前記躯体の前記クリアランスに面する側面との間に延在し、かつ、前記床部材を支持する支持面と、前記支持面に対して角度を成して延在する壁面とを有する、第二の段差部を形成し、前記第一の段差部と前記第二の段差部に前記床部材を架設し、前記第二の段差部の前記支持面の上方に、前記床部材の前記第二の段差部側の端部に向かって突出し、かつ、上下方向に弧状に延在する、凸状曲面を形成し、前記床部材の前記第二の段差部側の端部に、前記凸状曲面に傾動可能に係合する転動面と、前記支持面に係合する底面を形成し、前記床部材の前記自由端が上下方向に回動すると、前記床部材の前記転動面が前記凸状曲面に沿って傾動し、前記床部材の前記第二の段差部側の端部が前記支持面を摺動するように、前記床部材を前記躯体に連結したことを特徴とする。
【００１０】
本発明のエキスパンションジョイントは、また、前記第二の段差部の前記壁面に台座を取り付け、前記台座に前記凸状曲面を形成し、前記床部材の後壁の表面に前記転動面を形成し、前記台座と前記後壁にそれぞれ貫通孔を形成し、前記床部材を前記躯体に連結するための連結部材を前記台座の前記貫通孔と前記後壁の前記貫通孔に挿通し、前記連結部材によって前記床部材を前記躯体に連結し、前記台座の前記貫通孔と前記後壁の前記貫通孔を上下方向に伸びる長孔によって構成し、前記台座の前記長孔は、前記床部材の前記自由端が上下方向に回動するときに、前記転動面が前記凸状曲面に沿って上下方向に傾動することができるように、前記連結部材を上下方向に傾動可能に案内し、また、前記後壁の前記長孔は、前記床部材の前記自由端が上下方向に回動するときに、前記転動面が前記凸状曲面に沿って上下方向に傾動することができるように、前記連結部材を上下方向に傾動可能に案内すると共に、前記床部材の前記第二の段差部側の端部が前記支持面を摺動することができるように、前記後壁を前記支持面に向かって往復動可能に案内することを特徴とする。
【００１１】
本発明のエキスパンションジョイントは、更に、前記台座は、前記躯体の上面に沿って延在する上縁と、前記第二の段差部の前記支持面に沿って延在する下縁と、前記床部材の前記後壁に対向する露出面と、前記第二の段差部の前記壁面に対向する裏面と、前記上縁と前記下縁から間隔をおいて前記露出面に突出し、かつ、前記台座の長手方向に伸びる、一条の畝部を有し、前記畝部の表面に前記凸状曲面を形成し、前記畝部の裏面と前記壁面の間に空隙部を形成し、前記台座の前記貫通孔を前記凸状曲面と前記空隙部に開口させ、前記貫通孔に挿通された前記連結部材の前記台座側の端部を前記空隙部に配置して前記畝部の裏面に係止させたことを特徴とする。
【００１２】
本発明のエキスパンションジョイントは、更に、前記床部材は、前記床部材の前記後壁の裏面に沿って空間部を有し、前記後壁の前記貫通孔を前記転動面と前記空間部に開口させ、前記後壁の貫通孔に挿通された前記連結部材の前記床部材側の端部を前記空間部に配置して前記後壁の裏面に係止させたことを特徴とする。
【００１３】
本発明のエキスパンションジョイントは、更に、前記台座の前記貫通孔を、前記台座の長手方向に間隔をおいて、前記畝部に複数形成し、前記台座の前記複数の貫通孔にそれぞれ対応するように、前記後壁の前記貫通孔を複数形成し、前記台座の前記貫通孔と前記後壁の前記貫通孔に挿通された複数の前記連結部材によって、前記床部材を前記躯体に連結したことを特徴とする。
【００１４】
本発明のエキスパンションジョイントは、更に、前記台座の前記上縁付近の前記露出面と前記床部材の前記後壁の間にコーキング材及び／又はバッカ―材を充填したことを特徴とする。
【００１５】
本発明のエキスパンションジョイントは、更に、前記エキスパンションジョイントは、更に、前記免震装置の非作動時に前記床部材の前記自由端と前記基礎部の前記上面との間隙を覆う端部板と、前記端部板の前記基礎部側の縁部が上下方向に回動するように、前記端部板の前記床部材側の縁部を前記床部材の前記自由端に連結する、ヒンジと、前記免震装置の作動時に前記端部板が下方に回動する角度を規制するストッパとを有することを特徴とする。
【００１６】
なお、この明細書で建築物とは、建物及び建物付属設備をいう。また、この明細書で構築物とは、土地の上に定着した建造物、土木設備、工作物であって、建物及び建物付属設備以外のものをいう。
【発明の効果】
【００１７】
本発明のエキスパンションジョイントは、床部材の第二の段差部側の端部が、その底面を第二の段差部の支持面に係合させて、面支持されるから、床部材の第二の段差部側の端部に対する荷重の集中を防ぐことができる。これにより、エキスパンションジョイントを長期間にわたって継続的に設置し、使用しても、床部材の破損を防止することができる。
【００１８】
また、免震装置の作動時に、床部材の自由端が上下方向に回動するとき、床部材の第二の段差部側の端部は、その転動面を凸状曲面に係合させて傾動する。すなわち、床部材の自由端が第一の段差部の傾斜面に案内されて上昇すると、床部材の第二の段差部側の端部に形成された転動面は、凸状曲面の中央部から凸状曲面の上部に向かって回動し、同時に、床部材の第二の段差部側の端部が第二の段差部の支持面を摺動することができるように、第二の段差部の支持面に向かって摺動する。この結果、床部材の第二の段差部側の端部は、その転動面を凸状曲面の中央部の上部に係合させて、傾斜する。このように、転動面が凸状曲面に対して回動し、摺動し、傾斜する一連の動作を、傾動という用語で表すこととする。この凸状曲面の形状は、床部材の自由端の回動を阻害しないように、中央部が突出した滑らかな曲面によって構成されているから、転動面は凸状曲面に沿って、所要の角度まで、滑らかに傾動することができる。
【００１９】
転動面が凸状曲面に沿って傾動するとき、床部材の第二の段差部側の端部は、第二の段差部の支持面によって支持された状態で、支持面上を摺動する。また、凸状曲面は、第二の段差部の支持面の上方に形成されているから、転動面が凸状曲面に沿って傾動するとき、床部材の重量は、第二の段差部の支持面と凸状曲面とによって分担される。よって、床部材の回動時に凸状曲面に過大な荷重が印加されることを防止することができる。したがって、本発明のエキスパンションジョイントによれば、免震装置の作動時に床部材を円滑に回動させることができる。
【００２０】
更に、本発明のエキスパンションジョイントの床部材は、床部材の第二の段差部側の端部が、第二の段差部の支持面上を摺動すると同時に、この支持面の上方に形成された凸状曲面に対して傾動することによって、回動するから、床部材の回転軸は第二の段差部の支持面よりも上方に位置する。したがって、床部材の回転軸が第二の段差部の支持面に位置する場合に比較して、回転軸から床部材の第二の段差部側の端部の上縁までの距離を減少させることができる。これにより、床部材の第二の段差部側の端部と躯体との間に形成された目地の巾が、床部材の回動時に、大きく変動することを防止することができる。したがって、この目地にコーキング材やバッカー材を充填して、床部材の第二の段差部側の端部と躯体との間に形成された空隙を効果的に埋めることができる。
【００２１】
本発明のエキスパンションジョイントは、凸状曲面と貫通孔を形成した台座を第二の段差部の壁面に取り付け、凸状曲面に係合する転動面と貫通孔を床部材の後壁に形成し、床部材を躯体に連結するための連結部材を台座の貫通孔と後壁の貫通孔に挿通し、この連結部材によって床部材を前記躯体に連結することによって施工することができる。ここで、台座の貫通孔と後壁の貫通孔は、上下方向に伸びる長孔によって構成する。
台座の長孔は、床部材の自由端が上下方向に回動するときに、転動面が凸状曲面に沿って上下方向に傾動することができるように、連結部材を上下方向に傾動可能に案内することができる形態でなければならない。
床部材の後壁の長孔は、床部材の自由端が上下方向に回動するときに、転動面が凸状曲面に沿って上下方向に傾動することができるように、連結部材を上下方向に傾動可能に案内すると共に、床部材の第二の段差部側の端部が支持面を摺動することができるように、床部材の後壁を支持面に向かって往復動可能に案内することができる形態でなければならない。
これらの長孔の形態は、長孔の開口部の長さ及び幅の寸法と、長孔の開口部を形成する位置によって、決定することができる。
したがって、本発明のエキスパンションジョイントの製造に特殊な技術は不要であり、また、その施工も容易である。
【００２２】
更に、前記台座に、躯体の上面に沿って延在する上縁と、第二の段差部の支持面に沿って延在する下縁と、床部材の後壁に対向する露出面と、第二の段差部の壁面に対向する裏面と、上縁と下縁から間隔をおいて露出面に突出し、かつ、台座の長手方向に伸びる、一条の畝部を形成し、この畝部の表面に凸状曲面を形成し、この畝部の裏面と壁面の間に空隙部を形成し、台座の貫通孔即ち長孔を凸状曲面と空隙部に開口させ、長孔に挿通された連結部材の台座側の端部を空隙部に配置して畝部の裏面に係止させることができる。
また、床部材には、床部材の後壁の裏面に沿って空間部を形成し、後壁の貫通孔即ち長孔を転動面と空間部に開口させ、後壁の長孔に挿通された連結部材の床部材側の端部をこの空間部に配置して後壁の裏面に係止させることができる。
かかる構成を採ることにより、本発明のエキスパンションジョイントの部品点数を減少させ、その製造費用を安価に抑えることができる。
【００２３】
なお、台座の畝部に、台座の長手方向に間隔をおいて、複数の貫通孔即ち長孔を形成し、台座のこれらの長孔にそれぞれ対応するように、床部材の後壁にも複数の貫通孔即ち長孔を形成し、これらの長孔に挿通された複数の連結部材によって、前記床部材を前記躯体に連結することができる。
かかる構成を採ることにより、床部材と躯体との連結強度を著しく向上させることができる。
【００２４】
本発明のエキスパンションジョイントに、免震装置の非作動時に床部材の自由端と基礎部の上面との間隙を覆う端部板と、この端部板の基礎部側の縁部が上下方向に回動するように、この端部板の床部材側の縁部を床部材の自由端に連結する、ヒンジを設ければ、免震装置の非作動時に、この端部板によって、床部材の自由端と基礎部材の上面を連続させることができる。
更に、この端部板に、免震装置の作動時に端部板が下方に回動する角度を規制するストッパを併設すれば、免震装置の作動時に、端部板がその自重によって下方へ回動したとき、基礎部の上面に対して端部板がなす角度及び第一の段差部の平坦面に対して端部板がなす角度を適正な角度にすることができる。これにより、地震発生後に床部材の自由端が基礎部の上面の上方に停止したときには、床部材と基礎部の間に端部板が傾斜して位置して、床部材の自由端を基礎部の上面に連続させ、また、地震発生後に床部材の自由端が平坦面に沿ってクリアランス側に偏倚した位置に停止したときには、床部材と平坦面の間に端部板が傾斜して位置して、床部材の自由端を平坦面に連続させ、人や車両の通行を可能にすることができる。
本発明のエキスパンションジョイントのその他の特徴は、以下、本発明の実施例について、図面を参照して説明する。
【図面の簡単な説明】
【００２５】
【図１】図１は、本発明のエキスパンションジョイントを基礎免震構造に適用したときの要部縦断面図である。
【図２】図２は、図１のエキスパンションジョイントの床部材の平面図である。
【図３】図３は、図２のＡ−Ａ線に沿う縦断面図である。
【図４】図４は、本発明のエキスパンションジョイントの床部材と躯体との連結部の分解斜視図である。
【図５】図５は、本発明のエキスパンションジョイントの床部材の躯体側の端部と躯体との連結状態を示す要部縦端面図である。
【図６】図６は、本発明のエキスパンションジョイントの床部材の自由端が上方へ回動したとき、床部材の躯体側の端部の回動状態を示す要部縦断面図である。
【図７】図７は、本発明のエキスパンションジョイントの端部板の側面図である。
【図８】図８は、本発明のエキスパンションジョイントの作動状態を示す説明図であり、図８（Ａ）は、免震装置が非作動時のエキスパンションジョイントの側面図、図８（Ｂ）は、免震装置が作動して建築物の躯体がクリアランスを閉塞する方向に移動したときのエキスパンションジョイントの側面図、図８（Ｃ）は、免震装置が作動して建築物の躯体がクリアランスの反対方向へ移動したときのエキスパンションジョイントの側面図である。
【図９】図９は、図８（Ａ）又は（Ｃ）の状態にあるエキスパンションジョイントの連結部材と長孔の位置関係を示す縦断面図であり、図９（Ａ）は、床部材と躯体との連結部の縦断面図、図９（Ｂ）は、台座の長孔と連結部材の位置関係を示す図、図９（Ｃ）は、床部材の後壁の長孔と連結部材の位置関係を示す図である。
【図１０】図１０は、図８（Ｂ）の状態にあるエキスパンションジョイントの連結部材と長孔の位置関係を示す縦断面図であり、図１０（Ａ）は、床部材と躯体との連結部の縦断面図、図１０（Ｂ）は、台座の長孔と連結部材の位置関係を示す図、図１０（Ｃ）は、床部材の後壁の長孔と連結部材の位置関係を示す図である。
【発明を実施するための形態】
【００２６】
建築物や構築物の基礎部とその上部構造である躯体との間に免震装置を介在させた、所謂、基礎免震構造に、本発明のエキスパンションジョイントを適用した実施例を説明する。
【実施例】
【００２７】
図１は、建築物１の基礎部２と、基礎部２の上部構造である躯体３との間に、免震装置４を介在させた、所謂、基礎免震を施した建築構造に、本発明のエキスパンションジョイント５を施工したときの概略図である。免震装置４は、鉛直方向（Ｚ軸方向）に構造物を支持しながら、水平方向（Ｘ軸方向及びＹ軸方向）（図２参照）に変位又は変形可能なアイソレータ（図示せず。）と、地震エネルギーを吸収するダンパー（図示せず。）を備える。建築物１の基礎部２は、コンクリート等によって地盤６に施工された剛性構造物である。基礎部２には、建築物１の外溝を構成する溝部７が形成され、溝部７は、躯体３を基礎部２に関して水平方向（Ｘ−Ｙ方向）に変位可能にするためのクリアランスＣとして利用される。
【００２８】
図１乃至３に示すように、エキスパンションジョイント５は、建築物１の基礎部２と躯体３の間にクリアランスＣを跨いで架設され、建築物１の外溝を構成する溝部７の上部に人や車両が通行可能な通路を形成する。エキスパンションジョイント５は、人や車両が通行可能な通路の床を構成する床部材８を有する。床部材８は、全体として方形を成す板状の構造部材である。床部材８は、その耐荷重性能を向上させるため、床部材８の構造部材としてグレーチング９を使用し、また、床部材の上面に装飾用のタイル１０を配置し、グレーチング９とタイル１０の間にモルタルＭを充填することによって製造することができる。図２中、参照番号１１は、床部材８に予め形成された点検口を示し、点検口１１は、固定ボルト１２で着脱自在に固定された蓋体１３によって閉鎖されている。点検口１１が形成された床部材８と点検口１１が形成されない床部材８との間に、エキスパンションジョイントとしての機能に差異はない。床部材８は、図２に示すように、建築物１の溝部７に沿って必要な枚数だけ並設される。そして、各床部材８は、床部材８の基礎部２側の端部８ａが上下方向に回動可能な自由端Ｆを構成するように、床部材８の躯体３側の端部８ｂを躯体３に回動可能に連結される。
【００２９】
床部材８によって基礎部２と躯体３を滑らかに連続させるため、図１及び３に示すように、基礎部２のクリアランスＣに沿う縁部１４に、基礎部２の上面１５と基礎部２のクリアランスＣに面する側面１６との間に延在し、床部材８を支持する平坦面１７と、床部材８の自由端Ｆを上下方向に案内する傾斜面１８とを有する、第一の段差部１９を形成し、また、躯体３のクリアランスＣに沿う縁部２０に、躯体３の上面２１と躯体３のクリアランスＣに面する側面２２との間に延在し、床部材８を支持する支持面２３と、支持面２３に対してほぼ直角を成して延在する壁面２４とを有する、第二の段差部２５を形成する。そして、第一の段差部１９と第二の段差部２５に床部材８を架設する。
【００３０】
床部材８を躯体３に連結するには、図４乃至６に示すように、先ず、第二の段差部２５の壁面２４に台座２６を取り付ける。台座２６は、躯体３の上面２１に沿って延在する上縁２７と、第二の段差部２５の支持面２３に沿って延在する下縁２８と、床部材８の後壁８ｃに対向する露出面２９と、第二の段差部２５の壁面２４に対向する裏面３０と、上縁２７と下縁２８から間隔をおいて露出面２９に突出し、かつ、台座２６の長手方向Ｙに伸びる、一条の畝部３１を有する。畝部３１の表面３１ａには凸状曲面３２が形成され、畝部３１の裏面３１ｂと壁面２４の間には空隙部Ｖ１が形成される。凸状曲面３２は、第二の段差部２５の支持面２３の上方で、床部材８の後壁８ｃに向かって突出し、かつ、上下方向に弧状に延在する。台座２６の畝部３１には、台座２６の長手方向に間隔をおいて、複数の長孔３５が形成されている。台座２６の長孔３５は凸状曲面３２と空隙部Ｖ１に開口する。参照番号３７は、台座２６の上縁２７を覆う仕上げ材である。
【００３１】
これに対し、床部材８の後壁２４には、凸状曲面３２に傾動可能に係合する転動面３３と、支持面２３に係合する底面３４が形成されている。床部材８の後壁８ｃには、台座２６の長孔２５にそれぞれ対応するように複数の長孔３６が形成されている。床部材８は、後壁８ｃの裏面８ｄに沿って空間部Ｖ２を形成し、後壁８ｃの長孔３６は転動面３３と空間部Ｖ２に開口している。
【００３２】
そして、床部材８を躯体３に連結するための連結ボルト３８を台座２６の長孔３５と床部材８の後壁８ｃの長孔３６にそれぞれ挿通し、これらの連結ボルト３８とダブルナット３９とによって、床部材８を躯体３に連結する。このとき、台座２６の長孔３５に挿通された連結ボルト３８の頭部３８ａは、空隙部Ｖ１に配置されて、畝部３１の裏面３１ｂに係止され、床部材８の後壁８ｃの長孔３６に挿通された連結ボルト３８に螺合するダブルナット３９は、空間部Ｖ２に配置されて、後壁８ｃの裏面８ｄに係止される。連結ボルト３８は、ダブルナット３９の締結時に回転しないように、方形の頭部３８ａを有する。参照番号４０、４１は、連結ボルト３８の締結時に締結荷重を受ける受け板である。
【００３３】
なお、台座２６の上縁２７付近の露出面２９と床部材８の後壁８ｃの間には、コーキング材及び／又はバッカー材４２が充填される。
【００３４】
更に、床部材８の自由端Ｆには、端部板４３が取り付けられている。端部板４３は、図７に示すように、ヒンジ４４によって、床部材８の基礎部２側の端部８ａに上下方向に回動自在に取り付けられ、これにより、端部板４３は、その自重によって縁部４５が下方向に回動付勢されている。床部材８の基礎部２側の端部８ａには、端部板４３が下方に回動する角度を規制するストッパ４６が固定されている。端部板４３は、図３に示すように、免震装置４の非作動時には、床部材８の自由端Ｆと基礎部２の上面１５との間隙を覆う（図８Ａも参照のこと）。また、端部板４３は、免震装置４の作動時には、ストッパ４６によって下方への回動角度を規制されるから、基礎部２の上面１５に対して端部板４３がなす角度と、第一の段差部１９の平坦面１７に対して端部板４３がなす角度を、それぞれ、適正な角度に制御することができる（図７及び図８Ｂ及びＣを参照のこと）。
【００３５】
以下、図８乃至１０を参照して、エキスパンションジョイント５の動作を説明する。図８（Ａ）は、免震装置４が非作動時のエキスパンションジョイント５の側面図であり、床部材８は第一の段差部１９の平坦面１７と第二の段差部２５の支持面２４に支持されて、基礎部２と躯体３の間に延在する。図８（Ｂ）は、免震装置４が作動して、建築物の躯体３がクリアランスＣを閉塞する方向に移動したときのエキスパンションジョイント５の側面図であり、床部材８の端部８ａが傾斜面１８に案内されて上方へ回動した状態を示す。このとき、端部板４３はその自重によって下方へ回動し、ストッパ４６によって係止されている。図８（Ｃ）は、免震装置４が作動して建築物の躯体３がクリアランスＣの反対方向へ移動したときのエキスパンションジョイント５の側面図であり、端部板４３がその自重によって下方へ回動し、ストッパ４６によって係止されていることが分かる。
【００３６】
ここで、台座２６の長孔３５は、床部材８の自由端Ｆが上下方向に回動するときに、転動面３３が凸状曲面３２に沿って上下方向に傾動することができるように、連結部材３８を上下方向に傾動可能に案内する。これに対し、床部材８の後壁８ｃの長孔３６は、床部材８の自由端Ｆが上下方向に回動するときに、転動面３３が凸状曲面３２に沿って上下方向に傾動することができるように、連結部材３８を上下方向に傾動可能に案内すると共に、床部材８の第二の段差部側の端部８ｂが支持面２３を摺動することができるように、後壁８ｃを支持面２３に向かって往復動可能に案内する。長孔３５及び３６のこの機能によって、床部材８は、図８（Ｂ）のように、上方へ回動することが可能になる。
【産業上の利用可能性】
【００３７】
以上、建築物や構築物の基礎とその上部構造との間に免震装置を介在させた、所謂、基礎免震構造に、本発明のエキスパンションジョイントを適用した実施例を説明したが、本発明のエキスパンションジョイントの床部材と躯体との連結部の構造は、建築物や構築物の上部構造と下部構造の間に免震装置を介在させた、所謂、中間免震構造に適用することもできる。
【符号の説明】
【００３８】
１    建築物
２    基礎部
３    躯体
４    免震装置
５    エキスパンションジョイント
６    地盤
７    建築物の外溝を構成する溝部
８    床部材
８ｃ  後壁
９    グレーチング
１０    装飾用のタイル
１５    基礎部の上面
１６    基礎部のクリアランスに面する側面
１７    第一の段差部の平坦面
１８    第一の段差部の傾斜面
１９    第一の段差部
２１    躯体の上面
２２    躯体のクリアランスに面する側面
２３    第二の段差部の支持面
２４    第二の段差部の壁面
２５    第二の段差部
２６    台座
３１    畝部
３２    凸状曲面
３３    転動面
３４    底面
３５    長孔
３６    長孔
３８    連結ボルト
３９    ダブルナット
Ｃ    クリアランス
Ｆ    床部材の自由端
【図１】
2015145598.tif 000003
【図２】
2015145598.tif 000004
【図３】
2015145598.tif 000005
【図４】
2015145598.tif 000006
【図５】
2015145598.tif 000007
【図６】
2015145598.tif 000008
【図７】
2015145598.tif 000009
【図８】
2015145598.tif 000010
【図９】
2015145598.tif 000011
【図１０】
2015145598.tif 000012